(57)【要約】【課題】加熱調理器において外部端末と通信することが目的であって被加熱物を加熱することが目的でない場合には、加熱が開始されないようにすることができる技術を提供する。【解決手段】前記加熱操作部が前記第１の操作を受け付けると、前記加熱部で加熱が開始されると共に前記加熱用スイッチがオンになり、前記電源から前記加熱制御部に電力が供給されて前記加熱制御部が前記加熱部の動作を制御可能な状態になると共に前記電源から前記通信制御部に電力が供給されて前記通信制御部が前記通信部の動作を制御可能な状態になり、前記加熱用スイッチがオフの状態で前記通信操作部が前記第２の操作を受け付けると、前記加熱部で加熱が開始されないと共に前記電源から前記加熱制御部に電力が供給されない状態で前記通信用スイッチがオンになり、前記電源から前記通信制御部に電力が供給されて前記通信制御部が前記通信部の動作を制御可能な状態になる。【選択図】図２
2020165587.tif 000002
【特許請求の範囲】
【請求項１】
加熱調理器であって、
被加熱物を加熱可能な加熱部と、
外部端末と通信可能な通信部と、
前記加熱部で加熱を開始するための第１の操作を受け付ける加熱操作部と、
前記通信部で通信を可能にするための第２の操作を受け付ける通信操作部と、
前記加熱部の動作を制御する加熱制御部と、
前記通信部の動作を制御する通信制御部と、
前記加熱制御部と前記通信制御部に電力を供給する電源と、
前記加熱制御部及び前記通信制御部と直列で前記電源に接続されると共に、前記加熱操作部が受け付ける前記第１の操作に連動してオンになる加熱用スイッチと、
前記通信制御部と直列で前記電源に接続される一方で前記加熱制御部と並列で前記電源に接続されると共に、前記通信操作部が受け付ける前記第２の操作に連動してオンになる通信用スイッチと、を備えており、
前記加熱操作部が前記第１の操作を受け付けると、前記加熱部で加熱が開始されると共に前記加熱用スイッチがオンになり、前記電源から前記加熱制御部に電力が供給されて前記加熱制御部が前記加熱部の動作を制御可能な状態になると共に前記電源から前記通信制御部に電力が供給されて前記通信制御部が前記通信部の動作を制御可能な状態になり、
前記加熱用スイッチがオフの状態で前記通信操作部が前記第２の操作を受け付けると、前記加熱部で加熱が開始されないと共に前記電源から前記加熱制御部に電力が供給されない状態で前記通信用スイッチがオンになり、前記電源から前記通信制御部に電力が供給されて前記通信制御部が前記通信部の動作を制御可能な状態になる、加熱調理器。
【請求項２】
前記加熱制御部は、第１記憶部を備えており、
前記通信制御部は、第２記憶部を備えており、
前記通信制御部は、前記加熱用スイッチがオフの状態で前記通信用スイッチがオンの状態であるときに前記通信部を介して前記外部端末から情報を受信した場合は、受信した前記情報を前記第２記憶部に記憶し、
前記加熱制御部は、前記加熱用スイッチがオンになると前記第２記憶部に記憶されている前記情報を取得して前記第１記憶部に記憶する、請求項１に記載の加熱調理器。
【請求項３】
前記電源が乾電池である、請求項１又は２に記載の加熱調理器。
【発明の詳細な説明】
【技術分野】
【０００１】
本明細書で開示する技術は、加熱調理器に関する。
【背景技術】
【０００２】
特許文献１にはガスコンロの制御装置が開示されている。特許文献１の制御装置は、マイコンと、マイコンに電力を供給する電源と、点火・消火スイッチと、調理選択スイッチとを備えている。特許文献１の制御装置では、点火・消火スイッチをオンにした場合も、調理選択スイッチをオンにした場合も、マイコンに電力が供給される。
【先行技術文献】
【特許文献】
【０００３】
【特許文献１】特開２００１−２５４９５０号公報
【発明の概要】
【発明が解決しようとする課題】
【０００４】
近年、スマートフォン等の外部端末と通信可能な加熱調理器が開発されている。このような加熱調理器では、加熱調理器の電源スイッチをオンにすると加熱調理器の電源から制御部に電力が供給されることによって外部端末と通信可能な状態になる。
【０００５】
また、現行の加熱調理器の中には、加熱調理器の点火・消火スイッチが電源スイッチを兼ねているものが存在する。この構成では、点火・消火スイッチをオンにすると（すなわち、電源スイッチをオンにすると）、加熱調理器のコンロバーナが点火すると共に、加熱調理器の電源から制御部に電力が供給される。
【０００６】
ここで、上記の２つ構成を合わせ持った加熱調理器（すなわち、外部端末と通信可能な加熱調理器であって、点火・消火スイッチが電源スイッチを兼ねている加熱調理器）では、外部端末と通信をするために、加熱調理器の点火・消火スイッチ（すなわち、電源スイッチ）をオンにする必要がある。点火・消火スイッチをオンにすると加熱調理器の電源から制御部に電力が供給されることによって加熱調理器が外部端末と通信可能な状態になる。しかしながら、このような加熱調理器では、点火・消火スイッチをオンにすることによって、加熱調理器が外部端末と通信可能な状態になるだけでなく、加熱調理器のコンロバーナも点火してしまう。外部端末と通信をすることが目的であってコンロバーナを点火することが目的でないにもかかわらず、点火・消火スイッチをオンにすることによってコンロバーナも点火してしまう。これによって問題が生じることもある。例えば、ユーザが調理を開始する予定でないにもかかわらずコンロバーナが点火してしまうことによって勝手に加熱が開始されてしまい、美味しくない料理が出来上がってしまう等の問題が生じる。
【０００７】
本明細書では、加熱調理器において外部端末と通信することが目的であって被加熱物を加熱することが目的でない場合には、加熱が開始されないようにすることができる技術を提供する。
【課題を解決するための手段】
【０００８】
本明細書によって開示される加熱調理器は、被加熱物を加熱可能な加熱部と、外部端末と通信可能な通信部と、前記加熱部で加熱を開始するための第１の操作を受け付ける加熱操作部と、前記通信部で通信を可能にするための第２の操作を受け付ける通信操作部と、前記加熱部の動作を制御する加熱制御部と、前記通信部の動作を制御する通信制御部と、前記加熱制御部と前記通信制御部に電力を供給する電源と、前記加熱制御部及び前記通信制御部と直列で前記電源に接続されると共に、前記加熱操作部が受け付ける前記第１の操作に連動してオンになる加熱用スイッチと、前記通信制御部と直列で前記電源に接続される一方で前記加熱制御部と並列で前記電源に接続されると共に、前記通信操作部が受け付ける前記第２の操作に連動してオンになる通信用スイッチと、を備えていてもよい。この加熱調理器では、前記加熱操作部が前記第１の操作を受け付けると、前記加熱部で加熱が開始されると共に前記加熱用スイッチがオンになり、前記電源から前記加熱制御部に電力が供給されて前記加熱制御部が前記加熱部の動作を制御可能な状態になると共に前記電源から前記通信制御部に電力が供給されて前記通信制御部が前記通信部の動作を制御可能な状態になってもよい。また、前記加熱用スイッチがオフの状態で前記通信操作部が前記第２の操作を受け付けると、前記加熱部で加熱が開始されないと共に前記電源から前記加熱制御部に電力が供給されない状態で前記通信用スイッチがオンになり、前記電源から前記通信制御部に電力が供給されて前記通信制御部が前記通信部の動作を制御可能な状態になってもよい。
【０００９】
この構成によれば、加熱部で加熱を開始するための第１の操作を加熱操作部が受け付けると加熱部で加熱が開始される。また、加熱操作部が第１の操作を受け付けると、それに連動して加熱用スイッチがオンになり、加熱制御部に電源の電力が供給されて加熱制御部が加熱部の動作を制御可能な状態になる。そのため、例えば、自動調理のプログラム及びレシピ情報に基づいて加熱制御部が加熱部の加熱量や加熱時間を制御することができ、自動調理を実行することができる。また、加熱用スイッチがオンになると、通信制御部にも電源の電力が供給されて通信制御部が通信部の動作を制御可能な状態になる。そのため、加熱調理器が外部端末と通信をすることができ、例えば、外部端末から自動調理のレシピ情報を受信することができる。
【００１０】
また、上記の構成によれば、加熱用スイッチがオフの状態で、通信部で通信を可能にするための第２の操作を通信操作部が受け付けると、それに連動して通信用スイッチがオンになり、通信制御部に電源の電力が供給されて通信制御部が通信部の動作を制御可能な状態になる。そのため、加熱調理器が外部端末と通信をすることができ、例えば、外部端末から自動調理のためのレシピ情報を受信することができる。その一方で、通信用スイッチがオンになったとしても、加熱用スイッチがオフの状態なので、加熱制御部に電源の電力が供給されない。また、加熱部で加熱が開始されることもない。
【００１１】
以上より、上記の構成によれば、加熱調理器と外部端末との通信を可能にするための第２の操作を通信操作部が受け付けとしても加熱部で加熱が開始されることがない。したがって、加熱調理器において外部端末と通信することが目的であって被加熱物を加熱することが目的でない場合には、加熱が開始されないようにすることができる。
【００１２】
前記加熱制御部は、第１記憶部を備えていてもよい。前記通信制御部は、第２記憶部を備えていてもよい。前記通信制御部は、前記加熱用スイッチがオフの状態で前記通信用スイッチがオンの状態であるときに前記通信部を介して前記外部端末から情報を受信した場合は、受信した前記情報を前記第２記憶部に記憶してもよい。前記加熱制御部は、前記加熱用スイッチがオンになると前記第２記憶部に記憶されている前記情報を取得して前記第１記憶部に記憶してもよい。
【００１３】
上記の構成によれば、加熱制御部に電源の電力が供給されていないとき（加熱部で加熱が開始されないとき）に通信制御部が外部端末から受信した情報を一端第２記憶部に記憶しておくことができる。その後、加熱用スイッチがオンになり、加熱制御部に電源の電力が供給されると、外部端末から受信した情報を第２記憶部から第１記憶部に移動させることができる。そのため、外部端末から確実に情報を取得することができる。
【００１４】
前記電源が乾電池であってもよい。加熱調理器の加熱制御部と通信制御部に電力を供給する電源が乾電池である場合には、乾電池の電力が限られているので余分な電力を消費しないことが望ましい。加熱調理器において外部端末と通信することが目的であって被加熱物を加熱することが目的でない場合には、加熱制御部に乾電池の電力が供給されないので、余分な電力を消費することを抑制できる。電源が乾電池である場合に有効な技術である。
【図面の簡単な説明】
【００１５】
【図１】本実施例に係る加熱調理器システムの概要を示す図である。
【図２】本実施例に係る加熱調理器システムのブロック図である。
【図３】本実施例に係る加熱調理器の配管図である。
【図４】本実施例に係る加熱調理器の回路図である。
【図５】本実施例に係る加熱調理器システムで実行される通信制御側処理のフローチャートである。
【図６】本実施例に係る加熱調理器システムで実行される加熱制御側処理のフローチャートである。
【発明を実施するための形態】
【００１６】
実施例に係る加熱調理器システム１について図面を参照して説明する。図１に示すように、加熱調理器システム１は、加熱調理器１０と、外部端末１００と、を備えている。
【００１７】
加熱調理器１０と外部端末１００は、両者の間でＢｌｕｅｔｏｏｔｈ（登録商標）方式に従った無線通信を実行可能である。即ち、加熱調理器１０と外部端末１００との距離が所定距離以下まで近接する場合、加熱調理器１０と外部端末１００との間でＢｌｕｅｔｏｏｔｈ無線接続が確立され、相互に無線通信が可能になる。以下では、Ｂｌｕｅｔｏｏｔｈのことを単に「ＢＴ」と呼ぶ場合がある。また、ＢＴ方式に従った無線通信のことを「ＢＴ通信」と呼ぶ場合がある。なお、他の例では、加熱調理器１０と外部端末１００とは、ＢＴ方式に限られず、他の方式（例えば、Ｗｉ−Ｆｉ（登録商標）方式、他の近距離無線通信方式、等）に従って無線通信を実行可能であってもよい。
【００１８】
（加熱調理器１０の構成；図１、図２）
加熱調理器１０は、システムキッチンに組み込んで使用されるガス燃焼式のビルトインコンロである。加熱調理器１０は、本体１０ａと、３個のコンロバーナ１２ａ、１２ｂ、１２ｃと、１個のグリルバーナ１２ｄと、を備えている。また、加熱調理器１０は、３個のコンロ加熱量操作部６１ａ、６１ｂ、６１ｃと、１個のグリル加熱量操作部６１ｄと、３個のコンロパネル操作部６２ａ、６２ｂ、６２ｃと、１個のグリルパネル操作部６２ｄと、を備えている。また、加熱調理器１０は、コンロ表示部１４ａと、グリル表示部１４ｂと、通信ボタン３０と、を備えている。以下では、主に１個のコンロバーナ１２ａに着目して説明する。他の２個のコンロバーナ１２ｂ、１２ｃと、１個のグリルバーナ１２ｄについても同様の技術を適用することができる。
【００１９】
本体１０ａは、加熱調理器１０の電源としての乾電池３４が収容される電池収容部３２を備えている。本体１０ａの前面に通信ボタン３０が配置されている。本体１０ａの上部にコンロバーナ１２ａが配置されている。
【００２０】
通信ボタン３０は、加熱調理器１０と外部端末１００との間でＢＴ通信を可能にするためのボタンである。通信ボタン３０は、オン操作とオフ操作を受け付ける。オン操作は、加熱調理器１０と外部端末１００との間でＢＴ通信を可能にするための操作である。オフ操作は、ＢＴ通信を遮断するための操作である。
【００２１】
コンロバーナ１２ａは、被加熱物（例えば鍋）を加熱可能なバーナである。コンロ加熱量操作部６１ａは、コンロバーナ１２ａの点火及び消火とコンロバーナ１２ａの加熱量の調整を行うための操作部である。ユーザによってコンロ加熱量操作部６１ａを消火位置から点火位置に移動させるための操作（以下では、「点火操作」と呼ぶ）が実行されると、コンロバーナ１２ａが点火される。ユーザによってコンロ加熱量操作部６１ａを点火位置から消火位置に移動させるための操作（以下では、「消火操作」と呼ぶ）が実行されると、コンロバーナ１２ａが消火される。点火位置とは、コンロ加熱量操作部６１ａの前面が本体１０ａの前面よりも前方に突出している位置であり、消火位置とは、コンロ加熱量操作部６１ａが本体１０ａ内に収容されている位置である。また、ユーザは、コンロ加熱量操作部６１ａが点火位置に位置している状態において、コンロ加熱量操作部６１ａを時計方向又は反時計方向に操作することで、コンロバーナ１２ａの加熱量を調整することができる。コンロパネル操作部６２ａは、コンロバーナ１２ａを利用した自動調理の設定等を受け付け可能な操作部である。
【００２２】
コンロ表示部１４ａは、３個のコンロバーナ１２ａ、１２ｂ、１２ｃのそれぞれの動作状態や実行中の機能に関する情報（例えば、自動調理のレシピ情報、調理モード等）を表示するためのディスプレイである。グリル表示部１４ｂは、グリルバーナ１２ｄの動作状態や実行中の機能に関する情報を表示するためのディスプレイである。
【００２３】
図３に示すように、加熱調理器１０は、３個のコンロガス供給路４０ａ、４０ｂ、４０ｃと、１個のグリルガス供給路４０ｄと、を備えている。また、加熱調理器１０は、３個のコンロ安全弁４２ａ、４２ｂ、４２ｃと、１個のグリル安全弁４２ｄと、３個のコンロ流量調整弁４４ａ、４４ｂ、４４ｃと、１個のグリル流量調整弁４４ｄと、を備えている。また、加熱調理器１０は、３個のコンロ点火プラグ１８ａ、１８ｂ、１８ｃと、１個のグリル点火プラグ１８ｄと、を備えている。
【００２４】
コンロガス供給路４０ａは、ガス供給源（図示省略）からコンロバーナ１２ａにガスを供給する。コンロガス供給路４０ａにコンロ安全弁４２ａとコンロ流量調整弁４４ａが設けられている。コンロ安全弁４２ａは、コンロガス供給路４０ａを開閉する。コンロ安全弁４２ａが開弁すると、コンロバーナ１２ａにガスが供給され、コンロ安全弁４２ａが閉弁すると、コンロバーナ１２ａにガスが供給されなくなる。コンロ安全弁４２ａは、上述したコンロ加熱量操作部６１ａに連動して動作する。コンロ加熱量操作部６１ａが点火操作されると、コンロ安全弁４２ａが開弁し、コンロ加熱量操作部６１ａが消火操作されると、コンロ安全弁４２ａが閉弁する。
【００２５】
コンロ流量調整弁４４ａは、コンロガス供給路４０ａを流れるガスの流量を調整する。コンロ流量調整弁４４ａは、ステッピングモータ（図示省略）の回転動作によって開度調整される。コンロ流量調整弁４４ａは、上述したコンロ加熱量操作部６１ａに連動して動作する。例えば、コンロ加熱量操作部６１ａが時計方向に回転操作されると、コンロ流量調整弁４４ａの開度が大きくなり、コンロバーナ１２ａに供給されるガスの流量が大きくなる。また、コンロ加熱量操作部６１ａが反時計方向に回転操作されると、コンロ流量調整弁４４ａの開度が小さくなり、コンロバーナ１２ａに供給されるガスの流量が小さくなる。
【００２６】
コンロ点火プラグ１８ａは、スパークすることによって、コンロバーナ１２ａに供給されたガスに着火する装置である。コンロ点火プラグ１８ａは、後述する加熱用スイッチ９０がオンになるとスパークする。後述する加熱用スイッチ９０は、コンロ加熱量操作部６１ａが点火操作されるとオンになる。
【００２７】
図２に示すように、加熱調理器１０は、加熱制御用基板７０と、通信制御用基板８０と、を更に備えている。加熱制御用基板７０と通信制御用基板８０は、本体１０ａの内部において互いに分離された状態で配置されている。なお、加熱制御用基板７０と通信制御用基板８０は、それぞれに電力を供給するための回路が別であれば同一の基板に配置されていてもよい。
【００２８】
加熱制御用基板７０は、ＣＰＵを含む加熱制御部７２を備えている。加熱制御部７２は、ＲＯＭ、ＲＡＭ、ハードディスク等によって構成される第１メモリ７４を備えている。加熱制御部７２は、上述したコンロバーナ１２ａ、コンロ加熱量操作部６１ａ、コンロパネル操作部６２ａ、コンロ表示部１４ａと電気的に接続されており、これらの各要素の動作を制御することができる。
【００２９】
通信制御用基板８０は、ＢＴインターフェース８６と、ＣＰＵを含む通信制御部８２と、を備えている。以下ではインターフェースのことを単に「Ｉ／Ｆ」と記載する。ＢＴＩ／Ｆ８６は、外部端末１００との間でＢＴ通信を可能にするためのＩ／Ｆである。即ち、加熱調理器１０と外部端末１００とが所定距離まで近接すると、加熱調理器１０と外部端末１００との間で、ＢＴＩ／Ｆ８６及びＢＴＩ／Ｆ１２６（後述）を介してＢＴ接続（図１、２の破線矢印参照）が確立する。ＢＴ接続が確立すると、加熱調理器１０と外部端末１００は、ＢＴ接続を介したＢＴ通信を相互に実行することができる。
【００３０】
通信制御部８２は、ＲＯＭ、ＲＡＭ、ハードディスク等によって構成される第２メモリ８４を備えている。通信制御部８２は、ＢＴＩ／Ｆ８６と電気的に接続されており、ＢＴＩ／Ｆ８６の動作を制御することができる。
【００３１】
図４に示すように、加熱制御用基板７０と通信制御用基板８０は、乾電池３４に電気的に接続されている。加熱制御用基板７０と通信制御用基板８０は、加熱用スイッチ９０を介して直列で乾電池３４に接続されている。また、通信制御用基板８０は、通信用スイッチ９２を介して乾電池３４に接続されている。通信用スイッチ９２は、加熱制御用基板７０及び加熱用スイッチ９０と並列で乾電池３４に接続されている。
【００３２】
加熱用スイッチ９０は、上述したコンロ加熱量操作部６１ａに機械的に接続されている。加熱用スイッチ９０は、コンロ加熱量操作部６１ａが受け付ける操作に連動してオン／オフが切り替わる。コンロ加熱量操作部６１ａが点火操作を受け付けると、加熱用スイッチ９０がオンになる。コンロ加熱量操作部６１ａが消火操作を受け付けると、加熱用スイッチ９０がオフになる。加熱用スイッチ９０がオンになると、加熱制御用基板７０に設けられている加熱制御部７２に乾電池３４の電力が供給される（図２参照）。また、通信制御用基板８０に設けられている通信制御部８２に乾電池３４の電力が供給される（図２参照）。加熱制御部７２は、乾電池３４から電力が供給されることによって、上述したコンロバーナ１２ａ、コンロ表示部１４ａ等の動作を制御可能な状態になる。通信制御部８２は、乾電池３４から電力が供給されることによって、上述したＢＴＩ／Ｆ８６の動作を制御可能な状態になる。
【００３３】
通信用スイッチ９２は、上述した通信ボタン３０に機械的に接続されている。通信用スイッチ９２は、通信ボタン３０が受け付ける操作に連動してオン／オフが切り替わる。通信ボタン３０がオン操作を受け付けると、通信用スイッチ９２がオンになる。通信ボタン３０がオフ操作を受け付けると、通信用スイッチ９２がオフになる。通信用スイッチ９２がオンになると、通信制御用基板８０に設けられている通信制御部８２に乾電池３４の電力が供給される（図２参照）。通信用スイッチ９２がオンになると、加熱用スイッチ９０がオフの状態であっても、通信制御部８２に乾電池３４の電力が供給される。通信制御部８２は、乾電池３４から電力が供給されることによって、上述したＢＴＩ／Ｆ８６の動作を制御可能な状態になる。また、通信制御部８２は、所定の場合に通信用スイッチ９２をオフにすることができる（後述する図５のＳ２４）。また、通信制御部８２は、加熱用スイッチ９０がオン状態であるかオフ状態であるかを判別することができる。一方、加熱用スイッチ９０がオフの状態では、通信用スイッチ９２がオンになったとしても、加熱制御部７２には乾電池３４の電力が供給されない。
【００３４】
（外部端末１００の構成；図１、図２）
外部端末１００は、例えば、スマートフォンである。他の例では、外部端末１００は、タブレット端末、デスクトップＰＣ、ノートＰＣ等であってもよい。図１に示すように、外部端末１００は、表示操作部１０２を備えている。表示操作部１０２は、タッチパネルとして機能する。表示操作部１０２は、様々な情報を表示することができる。また、表示操作部１０２は、様々な操作を受け付けることができる。
【００３５】
図２に示すように、外部端末１００は、端末制御用基板１２０を備えている。端末制御用基板１２０は、ＢＴＩ／Ｆ１２６と、ＣＰＵを含む端末制御部１２２と、を備えている。
【００３６】
ＢＴＩ／Ｆ１２６は、加熱調理器１０との間でＢＴ通信を可能にするためのＩ／Ｆである。上述した通り、加熱調理器１０と外部端末１００とが所定距離まで近接すると、ＢＴ接続（図１、２の破線矢印参照）が確立する。ＢＴ接続が確立すると、加熱調理器１０と外部端末１００は、ＢＴ接続を介したＢＴ通信を相互に実行することができる。
【００３７】
端末制御部１２２は、ＢＴＩ／Ｆ１２６と電気的に接続されており、ＢＴＩ／Ｆ１２６の動作を制御することができる。端末制御部１２２は、ＲＯＭ、ＲＡＭ、ハードディスク等によって構成される端末メモリ１２４を備えている。端末メモリ１２４には、自動調理のレシピ情報が記憶されている。
【００３８】
（通信制御側処理；図５）
次に、上記の加熱調理器システム１で実行される通信制御側処理について説明する。図５に示す通信制御側処理は、加熱調理器１０の通信ボタン３０がオン操作を受け付けると（加熱調理器１０のユーザが通信ボタン３０のオン操作を実行すると）開始される。
【００３９】
通信ボタン３０がオン操作を受け付けると、それに連動して通信用スイッチ９２がオンになる（Ｓ１０）。加熱用スイッチ９０がオフの状態で通信用スイッチ９２がオンになると、通信制御部８２への給電が開始される。乾電池３４の電力が通信制御部８２に供給される（図２、４参照）。これによって、通信制御部８２がＢＴＩ／Ｆ８６の動作を制御可能な状態になる。なお、加熱用スイッチ９０が既にオンになっている場合は、通信制御部８２に乾電池３４の電力が既に供給されている。
【００４０】
加熱用スイッチ９０がオフの状態では、乾電池３４の電力が加熱制御部７２に供給されていない（図２、４参照）。また、加熱用スイッチ９０がオフである場合は、コンロ加熱量操作部６１ａが点火操作を受け付けていない場合である。そのため、コンロバーナ１２ａで加熱が開始されていない。
【００４１】
Ｓ１０に続くＳ１２では、通信制御部８２が、通信用スイッチ９２をオフにするタイミングを計測するためのタイマーをセットする。タイマーセットされる所定時間は例えば３分である。
【００４２】
続くＳ１４では、通信制御部８２が、ＢＴＩ／Ｆ８６を介して外部端末１００からレシピ情報を受信したか否かを判断する。レシピ情報を受信した場合は、通信制御部８２がＹＥＳと判断してＳ１６に進む。そうでない場合は、通信制御部８２がＮＯと判断してＳ２２に進む。
【００４３】
続くＳ１６では、通信制御部８２が、加熱用スイッチ９０がオンの状態であるか否かを判断する。加熱用スイッチ９０がオンである場合は、通信制御部８２がＹＥＳと判断してＳ２０に進む。そうでない場合は、通信制御部８２がＮＯと判断してＳ１８に進む。
【００４４】
Ｓ１６でＹＥＳの後のＳ２０では、通信制御部８２が、上記のＳ１４で受信したレシピ情報を、加熱制御用基板７０に設けられている第１メモリ７４に記憶する（図２参照）。すなわち、通信制御部８２は、加熱制御部７２に乾電池３４の電力が供給されている場合には、受信したレシピ情報を第１メモリ７４に記憶する。一方、Ｓ１６でＮＯの後のＳ１８では、通信制御部８２が、上記のＳ１４で受信したレシピ情報を、通信制御用基板８０に設けられている第２メモリ８４に記憶する（図２参照）。すなわち、通信制御部８２は、加熱制御部７２に乾電池３４の電力が供給されておらず、通信制御部８２のみに乾電池３４の電力が供給されている場合には、受信したレシピ情報を第２メモリ８４に記憶する。
【００４５】
続くＳ２２では、通信制御部８２が、上記のＳ１２でタイマーセットした所定時間（例えば３分）が経過したか否かを判断する。所定時間が経過した場合は、通信制御部８２がＹＥＳと判断してＳ２４に進む。そうでない場合は、通信制御部８２がＮＯと判断してＳ１４に戻る。所定時間が経過するまで通信制御部８２が通信用スイッチ９２をオンに維持する。
【００４６】
続くＳ２４では、通信制御部８２が、通信用スイッチ９２をオフにする。通信用スイッチ９２がオフになると、乾電池３４の電力が通信制御部８２に供給されなくなる。以上より、通信制御側処理が終了する。
【００４７】
（加熱制御側処理；図６）
次に、上記の加熱調理器システム１で実行される加熱制御側処理について説明する。図６に示す加熱制御側処理は、コンロ加熱量操作部６１ａが点火操作を受け付けると（加熱調理器１０のユーザがコンロ加熱量操作部６１ａの点火操作を実行すると）開始される。
【００４８】
コンロ加熱量操作部６１ａが点火操作を受け付けると、コンロバーナ１２ａが点火する。これによって、コンロバーナ１２ａで被加熱物の加熱が開始される。また、コンロ加熱量操作部６１ａが点火操作を受け付けると、それに連動して加熱用スイッチ９０がオンになる（Ｓ３０）。加熱用スイッチ９０がオンになると、加熱制御部７２と通信制御部８２への給電が開始される。乾電池３４の電力が加熱制御部７２と通信制御部８２に供給される（図２、４参照）。これによって、加熱制御部７２がコンロバーナ１２ａの動作を制御可能な状態になる。また、通信制御部８２がＢＴＩ／Ｆ８６の動作を制御可能な状態になる。なお、通信用スイッチ９２が既にオンになっている場合は、通信制御部８２に乾電池３４の電力が既に供給されている。
【００４９】
Ｓ３０に続くＳ３２では、加熱制御部７２が、通信制御用基板８０に設けられている第２メモリ８４にレシピ情報が記憶されているか否かを判断する。上記のＳ１８（図５参照）で通信制御部８２がレシピ情報を第２メモリ８４に記憶した場合は、第２メモリ８４にレシピ情報が記憶されている。第２メモリ８４にレシピ情報が記憶されている場合は、加熱制御部７２がＹＥＳと判断してＳ３４に進む。そうでない場合は、加熱制御部７２がＮＯと判断してＳ３６に進む。
【００５０】
続くＳ３４では、加熱制御部７２が、第２メモリ８４に記憶されているレシピ情報を取得して第１メモリ７４に記憶する。加熱制御部７２は、第２メモリ８４から第１メモリ７４にレシピ情報を移動する。加熱制御部７２は、第１メモリ７４に記憶したレシピ情報に基づいて自動調理を実行することができる。加熱制御部７２は、レシピ情報を第１メモリ７４に移動した後に、第２メモリ８４からレシピ情報を消去する。その後、コンロ加熱量操作部６１ａが消火操作を受け付けると、加熱用スイッチ９０がオフになる（Ｓ３６）。また、コンロバーナ１２ａが消火される。以上より、加熱制御側処理が終了する。
【００５１】
以上、実施例に係る加熱調理器システム１及び加熱調理器１０について説明した。上記の構成によれば、加熱調理器１０において外部端末１００と通信することが目的であって被加熱物（例えば鍋）を加熱することが目的でない場合には、加熱が開始されないようにすることができる。また、このような構成をグリルバーナ１２ｄに用いれば、加熱用スイッチ９０がオフの状態で、加熱調理器１０と外部端末１００との通信を可能にするためのオン操作を通信ボタン３０が受け付けたとしても、グリルバーナ１２ｄで加熱が開始されないので、加熱調理器１０のユーザが意図しない加熱が開始されないようにすることができる。加熱調理器１０と外部端末１００との通信を可能にすることを意図しているにもかかわらず、グリルバーナ１２ｄで加熱が開始されてしまうと、例えば美味しい料理が出来上がらないといった問題が生じるが、上記の構成によれば、意図しない加熱が開始されないので、このような問題を抑制することができる。
【００５２】
また、上記の加熱調理器１０では、加熱用スイッチ９０がオフの状態で通信用スイッチ９２がオンの状態であるときに、通信制御部８２がＢＴＩ／Ｆ８６を介して外部端末１００からレシピ情報を受信した場合は、受信したレシピ情報を第２メモリ８４に記憶する。また、加熱用スイッチ９０がオンになると、加熱制御部７２が第２メモリ８４に記憶されているレシピ情報を取得して第１メモリ７４に記憶する。この構成によれば、加熱制御部７２に乾電池３４の電力が供給されていないときに通信制御部８２が外部端末１００から受信したレシピ情報を一端第２メモリ８４に記憶しておくことができる。その後、加熱用スイッチ９０がオンになり、加熱制御部７２に乾電池３４の電力が供給されると、外部端末１００から受信したレシピ情報を第２メモリ８４から第１メモリ７４に移動させることができる。そのため、レシピ情報を外部端末１００から確実に取得することができる。
【００５３】
また、上記の加熱調理器１０では、電源として乾電池３４を用いるので余分な電力を消費しないことが望ましい。上記の加熱調理器１０では、外部端末１００と通信することが目的であって被加熱物を加熱することが目的でない場合には、通信ボタン３０だけをオン操作することによって、加熱制御部７２に乾電池３４の電力が供給されない状態で外部端末１００と通信することができる。そのため、余分な電力を消費することを抑制できる。電源として乾電池３４を用いる場合には特に有効である。
【００５４】
（対応関係）
上述したコンロバーナ１２ａが「加熱部」の一例である。ＢＴＩ／Ｆ８６が「通信部」の一例である。コンロ加熱量操作部６１ａが「加熱操作部」の一例である。通信ボタン３０が「通信操作部」の一例である。乾電池３４が「電源」の一例である。コンロ加熱量操作部６１ａでの点火操作が「第１の操作」の一例である。通信ボタン３０でのオン操作が「第２の操作」の一例である。第１メモリ７４が「第１記憶部」の一例である。第２メモリ８４が「第２記憶部」の一例である。
【００５５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００５６】
上記の実施例では、「電源」が乾電池３４であったが、他の実施例では、「電源」が家庭用のＡＣ電源であってもよい。
【００５７】
他の実施例では、加熱調理器１０は、ＩＨ式のビルトインコンロ等であってもよい。
【００５８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５９】
１：加熱調理器システム、１０：加熱調理器、１０ａ：本体、１２ａ：コンロバーナ、１４ａ：コンロ表示部、１８ａ：コンロ点火プラグ、３０：通信ボタン、３２：電池収容部、３４：乾電池、４０ａ：コンロガス供給路、４２ａ：コンロ安全弁、４４ａ：コンロ流量調整弁、６１ａ：コンロ加熱量操作部、６２ａ：コンロパネル操作部、７０：加熱制御用基板、７２：加熱制御部、７４：第１メモリ、８０：通信制御用基板、８２：通信制御部、８４：第２メモリ、８６：ＢＴインターフェース、９０：加熱用スイッチ、９２：通信用スイッチ、１００：外部端末、１０２：表示操作部、１２０：端末制御用基板、１２２：端末制御部、１２４：端末メモリ、１２６：ＢＴインターフェース
【図１】
2020165587.tif 000003
【図２】
2020165587.tif 000004
【図３】
2020165587.tif 000005
【図４】
2020165587.tif 000006
【図５】
2020165587.tif 000007
【図６】
2020165587.tif 000008